(57)【要約】  【課題】コストの低減化及び設置スペースの縮小化を図り、且つ、除霜時に荷捌場を陽圧に維持する。  【解決手段】低温陽圧空調設備２は、外気を荷捌場１の室内に導入する外気導入ダクト４と、該導入した外気を冷却する冷却器７と、該冷却した外気を陽圧に維持するための送風機８が装備された外気処理用の陽圧空調機９とを備える。冷却器７は、外気をフロストしない限界まで冷却除湿するプレクーラー５と、プレクーラー５で冷却除湿した外気を荷捌場１に適した所定温度まで冷却するアフタークーラー６とから構成し、アフタークーラー６の除霜はプレクーラー５で処理した低温低湿の外気を用いて行う。即ち、送風機８の運転により、プレクーラー５で低温低湿に処理された空気をアフタークーラー６に導入して、該アフタークーラー６の除霜を行い、同時に除霜時に荷捌場１を陽圧に維持する。  【選択図】図１
2008138950.tif 000002
【特許請求の範囲】
【請求項１】
外気を荷捌場の室内に導入する外気導入ダクトと、該導入した外気を冷却する冷却器と、前記室内を陽圧に維持するための送風機が設けられた空調機とを備えた低温陽圧空調設備において、
前記冷却器は、外気をフロストしない限界まで冷却除湿するプレクーラーと、該プレクーラーで冷却除湿した外気を前記室内に適した温度まで冷却する二次側のアフタークーラーとから構成し、該アフタークーラーの除霜時に、前記送風機を運転して該アフタークーラーに前記プレクーラーで冷却除湿された外気を導入して該アフタークーラーの除霜を行うことを特徴とする低温陽圧空調設備。
【請求項２】
上記プレクーラー、アフタークーラー及び送風機はこの順序で上記外気導入ダクトの下流側に直列に配置されていることを特徴とする請求項１記載の低温陽圧空調設備。
【発明の詳細な説明】
【技術分野】
【０００１】
本発明は低温陽圧空調設備に関するものであり、特に、冷蔵冷凍庫や食品工場の荷捌場における冷却器のフロスト（霜着）を防止する低温陽圧空調設備に関するものである。
【背景技術】
【０００２】
従来、此種低温陽圧空調設備は、冷蔵冷凍庫や食品工場又は配送センターの荷捌室（荷捌場）に設置される。例えば、冷蔵冷凍庫２１は、図２に示すように、食品等の被冷却品２２が所定の低温で保管される保管室２３と、該保管室２３に被冷却品２２を入出庫する為の荷捌場２４とで構成されている。
【０００３】
被冷却品２２の搬出入は、フォークリフト２５等を介して運搬される。なお、２６は保管室２３内の温度を制御する第１制御装置、２７は荷捌場２４内の温度を制御する第２制御装置、２８は荷捌場２４と保管室２３の間に設けた扉、３０は被冷却品２２を輸送するトラックである。
【０００４】
而して、上記低温陽圧空調設備は、外気を荷捌場の室内に導入するダクトと、該導入した外気を冷却する冷却器と、該冷却した外気を陽圧（大気圧よりもプラスの圧力）に維持するための送風機を有する空調機とを備えている。
【０００５】
前記低温陽圧空調設備の冷却器には所定時間運転することにより表面に霜が付着するが、該付着した霜を除去する方式としては、温水を用いる散水方式、ヒータの熱を用いる電気ヒータ方式、並びに、高圧高温のガスを用いる冷媒ホットガス方式が知られている（例えば、特許文献１〜３参照）。
【特許文献１】特開平８−１２１９４０号公報。
【特許文献２】特開２０００−４１８００号公報。
【特許文献３】特開平１１−３７６１６号公報。
【発明の開示】
【発明が解決しようとする課題】
【０００６】
上記いずれの方式においても除霜時に送風機の運転を停止し、加熱源を冷却器に集中して除霜効果を高めている。その結果、除霜時には荷捌場の室内の圧力が一時的に低下するため、該室内を陽圧に維持することが困難になる。
【０００７】
これを解決するために、次の２つの方法が提案されている。その一つの方式は、新鮮な外気を一次処理部に導入して冷却除湿を実施した後に、該冷却除湿された外気を二次処理部に導入して、吸着式除湿器により外気の露点温度をフロスト温度以下に下げてフロストしないように制御する。他の方式は、フロストする冷却器を２基設置して、該２基の冷却器を交互に切り替えて運転する。
【０００８】
前者の方式は、新鮮な外気を一次処理部及び二次処理部に連続導入して、該外気の冷却除湿及び露点温度を制御するために、イニシャルコスト及びランニングコストが高くなり、且つ、低温陽圧空調設備の設置スペースが増大するという問題があった。又、後者の方式は、フロストする冷却器を２基設置しなければならないので、前記同様にイニシャルコスト等が嵩み、設置スペースも増大する。
【０００９】
そこで、コストの低減化及び設置スペースの縮小化を図り、且つ、冷却器の除霜時に荷捌場の室内を陽圧に維持するために解決すべき技術的課題が生じてくるのであり、本発明はこの課題を解決することを目的とする。
【課題を解決するための手段】
【００１０】
本発明は上記目的を達成するために提案されたものであり、請求項１記載の発明は、外気を荷捌場の室内に導入する外気導入ダクトと、該導入した外気を冷却する冷却器と、前記室内を陽圧に維持するための送風機が設けられた空調機とを備えた低温陽圧空調設備において、前記冷却器は、外気をフロストしない限界まで冷却除湿するプレクーラーと、該プレクーラーで冷却除湿した外気を前記室内に適した温度まで冷却する二次側のアフタークーラーとから構成し、該アフタークーラーの除霜時に、前記送風機を運転して該アフタークーラーに前記プレクーラーで冷却除湿された外気を導入して該アフタークーラーの除霜を行う低温陽圧空調設備を提供する。
【００１１】
この構成によれば、上記アフタークーラーの除霜を行う場合は、送風機を運転することにより、先ず、冷却器の一次処理部であるプレクーラーに外気が導入され、該外気はフロストしない限界条件、例えば、温度３℃〜５℃位に冷却除湿される。次に、冷却除湿された外気は、冷却器の二次処理部であるアフタークーラーに導入され、荷捌場の室温に見合った所定温度まで冷却される。又、前記送風機を運転することにより、荷捌場の室内は常に陽圧に維持される。
【００１２】
請求項２記載の発明は、上記外気導入ダクトの下流側に上記プレクーラー、アフタークーラー及び送風機がこの順序で直列に配置されている請求項１記載の低温陽圧空調設備を提供する。
【００１３】
この構成によれば、除霜時、上記送風機はプレクーラー及びアフタークーラーの双方に対して送風機能を兼用する。即ち、１台の送風機を運転することにより、外気導入ダクト内の外気はプレクーラー及びアフタークーラーを順次流動する。この場合、送風機はプレクーラー及びアフタークーラーに対し直列に配置されているので、長時間連続駆動した場合でも円滑に運転駆動される。
【発明の効果】
【００１４】
請求項１記載の発明は、アフタークーラーの除霜に送風機を運転して実施するので、除霜中に荷捌場の室内圧力を陽圧に維持することができる。更に、従来方式に比べてイニシャルコスト及びランニングコストが低減し、保守性に優れた低温陽圧空調設備を安価に提供することができる。
【００１５】
請求項２記載の発明は、プレクーラー及びアフタークーラーに対して送風機を兼用できるので、請求項１記載の発明の効果に加えて、低温陽圧空調設備をコンパクトに構成でき、設置スペースの一層の縮小化が図られる。又、除霜中に送風機を長時間に亘り連続運転しても、荷捌場の室内を陽圧に維持できるメリットを有する。
【発明を実施するための最良の形態】
【００１６】
本発明は、コストの低減化及び設置スペースの縮小化を図り、且つ、冷却器の除霜時に荷捌場の室内圧力を陽圧に維持するという目的を、外気を荷捌場の室内に導入する外気導入ダクトと、該導入した外気を冷却する冷却器と、前記室内を陽圧に維持するための送風機が設けられた空調機とを備えた低温陽圧空調設備において、前記冷却器は、外気をフロストしない限界まで冷却除湿するプレクーラーと、該プレクーラーで冷却除湿した外気を前記室内に適した温度まで冷却する二次側のアフタークーラーとから構成し、該アフタークーラーの除霜時に、前記送風機を運転して該アフタークーラーに前記プレクーラーで冷却除湿された外気を導入して該アフタークーラーの除霜を行うことにより達成した。
【実施例】
【００１７】
以下、本発明の好適な一実施例を図１に従って説明する。図１は本実施例に係る低温陽圧空調設備の平面図である。本実施例は、冷蔵冷凍庫や食品工場の荷捌場に設置される低温陽圧空調設備において、外気処理用陽圧空調機の送風機を連続運転しながら、フロスト状態の冷却器を除霜することにより、該冷却器の除霜機能と荷捌場の陽圧維持機能との双方を両立させたものである。
【００１８】
図１において、１は低温陽圧空調設備２が設置された荷捌場であって、該荷捌場１において食品等の原材料や製品の入出荷作業が行われる。又、荷捌場１の一側壁部３には外気導入ダクト４が水平方向に貫通して設けられ、この外気導入ダクト４により外気Ａが荷捌場１の室内に導入される。
【００１９】
外気導入ダクト４の室内側端部には、一次処理用のプレクーラー５及び二次処理用のアフタークーラー６から成る冷却器７、並びに、送風機８を備えた外気処理用の陽圧空調機９が設けられている。前記プレクーラー５、アフタークーラー６及び送風機８はこの順序で直列に配置され、除霜時に、送風機８はプレクーラー５及びアフタークーラー６の双方に対して共通の送風手段として機能する。
【００２０】
前記プレクーラー５は、外気導入ダクト４に導入されたた湿度の高い外気Ａ（気温３３℃、相対湿度７０％）をフロストしない限界の温度３℃〜５℃位まで冷却し除湿する。又、アフタークーラー６は、プレクーラー５で冷却除湿された外気Ａを０℃乃至マイナス１０℃位に冷却して、霜が殆ど発生しないように制御する。
【００２１】
図示の如く、送風機８の空気流出部には低温低湿空気用搬送ダクト１０が接続されている。又、低温低湿空気搬送ダクト１０は荷捌場１の室内Ｒに延出している。更に、低温低湿空気用搬送ダクト１０の先端部及び側壁部の複数箇所には供給孔１１,１１・・・が形成され、該供給孔１１,１１・・・よりアフタークーラー６で冷却された空気が荷捌場１の室内Ｒに吹き出るように構成されている。
【００２２】
上記構成の陽圧空調設備２は、連続運転によりフロストしたアフタークーラー６の着霜を除去する必要がある。このアフタークーラー６の除霜では、先ず、アフタークーラー６への冷媒の供給を停止して、送風機８を連続運転することにより、湿度の高い外気Ａをプレクーラー５に導入して一次処理した後、該低温低湿の外気Ａによるオフサイクルデフロスト方式（空気源除霜方式）を実施して、アフタークーラー６の除霜を行う。
【００２３】
この場合、プレクーラー５により一次処理された外気Ａは、荷捌場１内に一時的に吹き込まれるが、この空気の温度は３℃〜５℃位に冷却されており、且つ、吹き込み時間（除霜時間）が短くて荷捌場１の室内空間が大きいので、荷捌場１の室温などに大きな影響を及ぼすことはない。
【００２４】
次に、プレクーラー５で一次処理した空気をアフタークーラー６に導入して、荷捌場１に適した温度まで冷却する。このとき、アフタークーラー６内に導入される空気は、低温低湿（３℃〜５℃位）に一次処理されているため、霜着が少なく長時間の連続運転が可能になる。これにより、荷捌場１の陽圧の維持機能とアフタークーラー６の除霜機能の双方が同時に達成される。
【００２５】
以上説明したように、本実施例によれば、アフタークーラー６の除霜時にも、送風機８を連続運転することにより冷却器７に外気を導入する。該導入された外気は、先ず、冷却器７のプレクーラー５にてフロストしない温度３℃〜５℃で冷却除湿し、次に、アフタークーラー６にて荷捌場１に適した温度まで冷却する。
【００２６】
斯くして、除霜中に荷捌場１の室内Ｒが常に陽圧に維持される。従って、例えば、夏場などに高温・高湿の外気が荷捌場１に侵入することを防止でき、荷捌場１の壁、天井、床等に結露が発生することを防ぐことができる。更に、外部から荷捌場１に外気と共に塵埃が侵入することも確実に防止することができる。
【００２７】
又、冷却器７は１台で済むので、イニシャルコスト及びランニングコストが従来に比し大幅に低減する。更に、除霜時、送風機８はプレクーラー５及びアフタークーラー６に対して送風手段として共通に機能し、低温陽圧空調設備２の設置スペースが一層狭くて済む。
【００２８】
なお、本発明は、本発明の精神を逸脱しない限り種々の改変をなすことができ、そして、本発明が該改変されたものにも及ぶことは当然である。
【図面の簡単な説明】
【００２９】
【図１】本発明の一実施例を示し、低温陽圧空調設備の平面図。
【図２】低温陽圧空調設備が設置される従来の冷蔵冷凍庫の構成例を示す平面図。
【符号の説明】
【００３０】
１    荷捌場
２    低温陽圧空調設備
３    一側壁部
４    外気導入ダクト
５    プレクーラー
６    アフタークーラー
７    冷却器
８    送風機
９    陽圧空調機
１０  低温低湿空気用搬送ダクト
１１  供給孔
２１  冷蔵冷凍庫
２２  被冷却品
２３  保管室
２４  荷捌場
２５  フォークリフト
２６  第１制御装置
２７  第２制御装置  
２８  扉  
３０  トラック
【図１】
2008138950.tif 000003
【図２】
2008138950.tif 000004